(57)【要約】【課題】横方向の操作力を操作方向とは直角方向に変換する必要のない、小形・薄形の横押し型の２段動作プッシュスイッチを提供する。【解決手段】２段動作プッシュスイッチは、横方向より操作する押しボタン４と、前記押しボタン４に保持させるバネ性を有する可動接片７と、前記押しボタン４の操作方向とは垂直な設置面に設置する円弧状の金属板バネ８と、コモン端子３Ｃと第１端子５及び第２端子６と、を備え、前記押しボタン４の操作に応じて前記可動接片７が横方向に移動して前記コモン端子３Ｃと前記第１端子５とを電気的に接続し、１段目の電気信号を得るのに続いて、前記押しボタン４が金属板バネ８を押して反転させて第１端子５を介してコモン端子３Ｃと第２端子６とを電気的に接続し、２段目の電気信号を得る。【選択図】  図４
2008041389.tif 000002
【特許請求の範囲】
【請求項１】
横方向より操作する押しボタンと、前記押しボタンに保持させるバネ性を有する可動接片と、前記押しボタンの操作方向とは垂直な設置面に設置する円弧状の金属板バネと、コモン端子と第１端子及び第２端子と、を備え、前記押しボタンの操作に応じて前記可動接片が横方向に移動して前記コモン端子と前記第１端子とを電気的に接続して１段目の電気信号を得るのに続いて、前記押しボタンが金属板バネを押して反転させて第１端子を介してコモン端子と第２端子とを電気的に接続して２段目の電気信号を得ることを特徴とする２段動作プッシュスイッチ。
【請求項２】
前記可動接片の摺動面に１段目の電気信号を得る際に感触を付与するための段差部を形成する請求項１に記載の２段動作プッシュスイッチ。
【請求項３】
上面と一側面が開放された絶縁性を有するボディと、ボディの開放された上面と一側面を覆う導電性を有するフレームとで２段動作プッシュスイッチのケースを形成し、前記ボディに第１端子及び第２端子を一体に形成すると共に、前記フレームにコモン端子を一体に形成する請求項１に記載の２段動作プッシュスイッチ。
【発明の詳細な説明】
【技術分野】
【０００１】
本発明は、２段動作プッシュスイッチに関し、特に、横押し型の２段動作プッシュスイッチに関する。
【背景技術】
【０００２】
従来よりプッシュスイッチには、可動接点として１枚のドーム状金属板バネを用いる縦押し型の（１段動作）プッシュスイッチ（例えば特許文献１の図３参照）、この縦押し型のプッシュスイッチのドーム状金属板バネを上下２段に配置する縦押し型の２段動作プッシュスイッチ（例えば特許文献２参照）がある。
【０００３】
縦押し型のプッシュスイッチは、ドーム状金属板バネに対向する底部側に、外側部及び中心部の２箇所に異なる固定接点があり、ドーム状金属板バネは、外側部の固定接点と常時接触している。押しボタンによりドーム状金属板バネを押し下げ操作すると下向きに反転して、中心部の固定接点と接触し、クリック感触と電気信号が得られる。
【０００４】
縦押し型の２段動作プッシュスイッチは、上下２段のドーム状金属板バネの底部側に、外側部及び、中心と外側部の間部、中心部の３箇所に異なる固定接点（コモン接点、第１選択接点、第２選択接点）があり、１段目（上段）のドーム状金属板バネは、コモン接点と常時接触し、２段目（下段）のドーム状金属板バネは、第１選択接点と常時接触している。押しボタンにより１段目のドーム状金属板バネを押し下げ操作すると下向きに反転して、２段目のドーム状金属板バネと接触し、１段目のクリック感触と電気信号が得られ、さらに押し下げると２段目のドーム状金属板バネが下向きに反転して、第２選択接点と接触し、２段目のクリック感触と電気信号が得られる。
【０００５】
また、従来よりプッシュスイッチには、上記の縦押し型のプッシュスイッチを横向きに実装した横押し型の（１段動作）プッシュスイッチ（例えば特許文献１の図１参照）、上記の縦押し型のプッシュスイッチの押しボタンを横方向から押す押しボタンに代えると共に、横方向の操作力を操作方向とは直角方向に変換する機構を付け加えた横押し型の（１段動作）プッシュスイッチ（例えば特許文献３参照）がある。
【０００６】
前者の横押し型のプッシュスイッチは、ドーム状金属板バネに対向する側部側に、外側部及び中心部の２箇所に異なる固定接点があり、ドーム状金属板バネは、外側部の固定接点と常時接触している。押しボタンを横方向から押してドーム状金属板バネを横方向に押し込み操作すると横向きに反転して、中心部の固定接点と接触し、クリック感触と電気信号が得られる。
【０００７】
後者の横押し型のプッシュスイッチは、ドーム状金属板バネに対向する底部側に、外側部及び中心部の２箇所に異なる固定接点があり、ドーム状金属板バネは、外側部の固定接点と常時接触している。押しボタンを横方向から押すとその操作力が操作方向とは直角方向に変換されて伝達されるので下向きに反転して、中心部の固定接点と接触し、クリック感触と電気信号が得られる。
【０００８】
そして、横押し型のプッシュスイッチは、例えば携帯電話機、携帯オーディオプレーヤ、デジタルカメラ等の側面操作用の操作スイッチとして用いられているが、この種電子機器の小形、薄形化に加え、その多機能化が進む中で、２段動作のものが要求されている。
【特許文献１】特開２００１−８４８６５号公報
【特許文献２】特開２００５−２１６８６８号公報
【特許文献１】特開２００５−１２２９８９号公報
【発明の開示】
【発明が解決しようとする課題】
【０００９】
横押し型の２段動作プッシュスイッチは、従来の縦押し型のプッシュスイッチと縦押し型の２段動作プッシュスイッチを参考にすれば容易に構成することができる。つまり、従来の前者の横押し型のプッシュスイッチでは、ドーム状金属板バネをその設置方向（横方向）に２段に配置し、異なる固定接点を１つ付け加えるだけでよく、従来の後者の横押し型のプッシュスイッチでも、ドーム状金属板バネをその設置方向（上下方向）に２段に配置し、異なる固定接点を１つ付け加えるだけでよい。
【００１０】
しかしながら、前者の方法で横押し型の２段動作プッシュスイッチを構成した場合、実装面積は小さく抑えることができるものの、実装高さが極端に高くなるという課題がある。後者の方法で横押し型の２段動作プッシュスイッチを構成した場合、実装高さは低く抑えることができるものの、横方向の操作力を操作方向とは直角方向に変換する必要があるため、荷重変換の際に負荷荷重設定が変化することや、機構的に摩擦等を発生するため、荷重調整が非常に難しくなるという課題がある。
【００１１】
本発明は上記のような課題を解決するためになされたもので、その目的は、横方向の操作力を操作方向とは直角方向に変換する必要のない、小形・薄形の横押し型の２段動作プッシュスイッチを提供することにある。
【課題を解決するための手段】
【００１２】
上記の課題を解決するための本発明の２段動作プッシュスイッチは、横方向より操作する押しボタンと、前記押しボタンに保持させるバネ性を有する可動接片と、前記押しボタンの操作方向とは垂直な設置面に設置する円弧状の金属板バネと、コモン端子と第１端子及び第２端子と、を備え、前記押しボタンの操作に応じて前記可動接片が横方向に移動して前記コモン端子と前記第１端子とを電気的に接続し、１段目の電気信号を得るのに続いて、前記押しボタンが金属板バネを押して反転させて第１端子を介してコモン端子と第２端子とを電気的に接続し、２段目の電気信号を得ることを特徴とする。
【００１３】
上記の構成を採用することにより、横方向の操作力を直角方向に変換する必要がない横押し型の２段動作プッシュスイッチを構成することができると共に、１段目の可動接点として押しボタンに保持させるバネ性を有する可動接片を用い、２段目の可動接点として押しボタンの操作方向とは垂直な設置面に設置する円弧状の金属板バネを用いることで、横方向の操作力を直角方向に変換する必要のない横押し型の２段動作プッシュスイッチでありながら、その幅及び高さを抑えることができる。
【００１４】
また、本発明の２段動作プッシュスイッチに、可動接片の摺動面に１段目の電気信号を得る際に感触を付与するための段差部を形成する構成を付加することにより、１段目の電気信号を得る接点の接触方式が摺動接触方式でありながら、１段目の電気信号を得る際に感触を得ることができる。
【００１５】
また、本発明の２段動作プッシュスイッチに、上面と一側面が開放された絶縁性を有するボディと、ボディの開放された上面と一側面を覆う導電性を有するフレームとで２段動作プッシュスイッチのケースを形成し、前記ボディに第１端子及び第２端子を一体に形成すると共に、前記フレームにコモン端子を一体に形成する構成を付加することにより、横押し型の２段動作プッシュスイッチでありながら、端子数が２本で済むようになる。
【発明の効果】
【００１６】
以上のように、本発明の２段動作プッシュスイッチは、横方向の操作力を直角方向に変換する必要がない横押し型の２段動作プッシュスイッチを構成することができると共に、横方向の操作力を直角方向に変換する必要のない横押し型の２段動作プッシュスイッチでありながら、その幅及び高さを抑えることができる。
【００１７】
よって、横方向の操作力を操作方向とは直角方向に変換する必要のない、小形・薄形の横押し型の２段動作プッシュスイッチを提供することができる。
【発明を実施するための最良の形態】
【００１８】
以下、本発明の一実施の形態を図面に基づいて説明する。図１は本発明の一実施の形態による２段動作プッシュスイッチの外観を示す平面図、図２は本発明の一実施の形態による２段動作プッシュスイッチの外観を示す側面図、図３は本発明の一実施の形態による２段動作プッシュスイッチの内部構造を示す図１のＡ−Ａ断面図、図４は本発明の一実施の形態による２段動作プッシュスイッチの内部構造を示す図２のＢ−Ｂ断面図、図５は本発明の一実施の形態による２段動作プッシュスイッチの組み立て図である。
【００１９】
図１〜図５において、１は２段動作プッシュスイッチであり、上面と一側面（図１〜図４の左側面）が開放されたボディ２と、ボディ２の開放された上面と一側面を覆うフレーム３とで、略直方体形状のケースを形成すると共に、押しボタン４の操作部４Ａをフレーム３に設けた切り欠き部３Ａよりケースの一側方（図１〜図４の左側方）に突出させて、横方向から押しボタン４を押してスイッチ操作を行う横押し型に構成している。
【００２０】
ボディ２は、インサート成型により良導電体の２つの第１，第２端子５，６と一体的に形成され、合成樹脂製で絶縁性を有する。また、ボディ２は、その開放された一側面と対向する内部側面に凹部２Ａを形成すると共に、凹部２Ａの底面の中央部に第２端子６と導通のある第２側面固定接点６Ａを一体に形成し、ボディ２の内部底面に第１端子５と導通のある第１底面固定接点５Ａを一体に形成し、前記凹部２Ａの底面の外側部に第１端子５と導通のある第１側面固定接点５Ｂを一体に形成している。さらに、ボディ２の外部側面にはフレーム３を位置決めし固定するための係止部２Ｂが形成されると共に、ボディ２の外部底面には切り欠き部２Ｃと図示しないプリント回路基板へ実装時の位置決め用の突起２Ｄが形成される。
【００２１】
フレーム３は、金属板を打ち抜き及び曲げ加工して形成され、導電性を有し、フレーム３の外側縁から複数の係止部３Ｂを突出して形成し、係止部３Ｂをボディ２の側面及び係止部２Ｂに係止させて２段動作プッシュスイッチ１のケースが形成される。
【００２２】
また、フレーム３は、その下端部に２段動作プッシュスイッチ１の外部接続端子であるコモン端子３Ｃが一体に形成され、図示しないプリント回路基板のランドパターンに半田付けで面実装される。なお、コモン端子３Ｃは、２段動作プッシュスイッチ１の組み立て最終工程でフレーム３の下端部を内側に折り曲げてボディ３の外部底面に形成された切り欠き部２Ｃに嵌め込むことによって形成され、コモン端子３Ｃの下面がボディ２の外部底面に略面一に露出される。
【００２３】
さらに、フレーム３は、その上部内面に２段動作プッシュスイッチ１の１段目のクリック感触を付与するために、例えば凹凸凹の段差部３Ｄを一体に形成している。段差部３Ｄはフレーム３の上部２箇所を部分的に内側から外側に膨出させて凹凸凹形状を得ている。
【００２４】
押しボタン４は、合成樹脂材料で形成され、絶縁性を有し、横方向からスイッチ操作を行うための操作部４Ａと、可動接片７を位置決めして収容保持するための接片保持溝部４Ｂと、ボディ２の凹部２Ａに設置される円弧状の金属板バネ８をキートップ９を介して動作させるための押圧部４Ｃと、一対のバネ受け部４Ｄとを、一体に形成し、上面をフレーム３の上部内面に摺動自在に接触させ、下面をボディ２の内部底面に摺動自在に接触させ、各バネ受け部４Ｄの突出端面をボディ２の開放された一側面に隣接する内部２側面に摺動自在に接触させて、２段動作プッシュスイッチ１のケースで図示しないプリント回路基板と平行な横方向（図１〜図４の左右方向）にスライド移動自在に支持される。
【００２５】
また、押しボタン４は、各バネ受け部４Ｄと凹部２Ａの周囲にあるボディ１の内部側面との間に配置される一対のコイルスプリング１０Ａ，１０Ｂによって一側方（図１〜図４の左側方）に付勢され、操作部４Ａが押されていない初期状態では、図３に示すように、各バネ受け部４Ｄがフレーム３の側部に当接する初期位置に位置保持されて押圧部４Ｃがキートップ９から引き離される。
【００２６】
第１端子５は、第１底面固定接点５Ａと第１側面固定接点５Ｂとに導通した良導電材料で形成され、一部がボディ２の外部に取り出されて２段動作プッシュスイッチ１の図示しない外部接続端子を形成し、図示しないプリント回路基板のランドパターンに半田付けで面実装される。
【００２７】
第２端子６は、第２側面固定接点６Ａに導通した良導電材料で形成され、第１端子５と同様に一部がボディ２の外部に取り出されて２段動作プッシュスイッチ１の図示しない外部接続端子を形成し、図示しないプリント回路基板のランドパターンに半田付けで面実装される。
【００２８】
可動接片７は、金属の良導電材料で形成され、上下一対のバネ性を有する可動接片部７Ａ，７Ｂと、これら可動接片部７Ａ，７Ｂの中間部に有する接点部７Ｃ，７Ｄと、可動接片部７Ａ，７Ｂの一端部を相互に連結する連結部７Ｅとを、一体に形成し、上側の接点部７Ｃを上側の可動接片部７Ａのバネ力により接片保持溝部４Ｂの開放上部を通してフレーム２の上部内面に押し当てると共に、下側の接点部７Ｄを下側の可動接片部７Ｂのバネ力により接片保持溝部４Ｂの開放下部を通してボディ２の内部底面に押し当てて、フレーム２の上部とボディ２の内部底面との間でバランスした状態で、押しボタン４の接片保持溝部４Ｂに位置決めされて収容保持され、押しボタン４と一体的に移動する。
【００２９】
また、可動接片７は、その上側の接点部７Ｃがフレーム３の上部内面に常時接触し、そのフレーム３に一体に形成されたコモン端子３Ｃと電気的に常時接続・導通すると共に、図４に示すように、押しボタン４が押されていない初期状態では、上側の接点部７Ｃが段差部３Ｄの外側の凹部３Ｅにあってフレーム３の上部内面と接触し、下側の接点部７Ｄが第１底面固定接点５Ａの周囲にあるボディ２の内部底面と接触して、コモン端子３Ｃと第１端子５とを電気的に切り離した状態で保持する。
【００３０】
なお、本実施の形態では、可動接片７として導電性を有する金属のトーションバネ（ねじりコイルバネ）を用いており、トーションバネの一対のアーム部により上下一対のバネ性を有する可動接片部７Ａ，７Ｂが形成され、トーションバネの一対のアーム部を曲げることにより可動接片部７Ａ，７Ｂの中間部に有する接点部７Ｃ，７Ｄが形成され、トーションバネのコイル部により可動接片部７Ａ，７Ｂの一端部を相互に連結する連結部７Ｅが形成されている。
【００３１】
円弧状の金属板バネ８は、導電性を有し、その中央部に長手側の側縁と平行で両端が短手側の側縁に達しない２本の平行な長孔８Ａを設けると共に、各長孔８Ａの外側に裏面側に膨出する一対の支え部８Ｂを設け、各長孔８Ａの間の中央部を表面側から押すことによってその中央部が反転動作できるように形成されている。
【００３２】
また、金属板バネ８は、その表面がボディ２の開放された一側面に向き、裏面が凹部２Ａの底面と対向するように、凹部２Ａ内に設置され、長手方向の両端部と各支え部８Ｂで凹部２Ａの底面に支えられると共に、各支え部８Ｂが第１側面固定接点５Ｂと常時接触し、金属板バネ８の中央部が第２側面固定接点６Ａと対向し、押しボタン４が押されていない初期状態では、金属板バネ８の中央部と第２側面固定接点６Ａとは離間保持され、第１端子５と第２端子３Ｃとを電気的に切り離した状態で保持する。
【００３３】
キートップ９は、合成樹脂材料で形成され、絶縁性を有し、その表面が押しボタン４の押圧部４Ｃと対向し、裏面が凹部２Ａの底部に設置された金属板バネ８の表面と対向し、凹部２Ａの開口部を閉じるように、その凹部２Ａの開口部に嵌め込んで配置し、表面の両端部を一対のコイルスプリング１０Ａ，１０Ｂで押えて凹部２Ａの底面とで金属板バネ８を挟み、凹部２Ａ内に金属板バネ８を保持すると共に、金属板バネ８や第１側面固定接点５Ｂ及び第２側面固定接点６Ａの防塵を行う。
【００３４】
また、キートップ９は、その外周部を凹部２Ａの周壁面に摺動自在に接触させて、凹部２Ａ内で押しボタン４と同様に図示しないプリント回路基板と平行な横方向（図１〜図４の左右方向）にスライド移動自在に凹部２Ａの開口部に嵌め込んで配置すると共に、押しボタン４の押圧部４Ｃと対向する表面の中央部には押しボタン４の押圧部４Ｃに向かって突出する操作部９Ａが一体に形成されると共に、金属板バネ８の表面と対向する裏面の中央部には金属板バネ８の中央部に向かって突出する押圧部９Ｂが一体に形成され、キートップ９の押圧部９Ｂの先端が金属板バネ８の中央部に常時押し当てられる。またキートップ９の押圧部９Ｂの先端形状は、その中心部が金属板バネ８の表面中心部に当接するように形成される。
【００３５】
なお、押しボタン４が押されていない初期状態では、キートップ９の押し込み力はなく、図３に示すように、金属板バネ８は湾曲した円弧状を保持し、キートップ９はその押圧部９Ｂの先端中心部が金属板バネ８の表面中心部で押しボタン４側に押されて表面両端部が凹部２Ａの周囲にあるボディ１の内部側面に略半周が当接している一対のコイルスプリング１０Ａ，１０Ｂの一端の残り略半周に当接してバランスしている。
【００３６】
上記のように構成された２段動作プッシュスイッチ１の組み立ては、図５に示すように、ボディ２をセットし、金属板バネ８をボディ２の凹部２Ａ内に設置した後、キートップ９を凹部２Ａの開口部に配置し、接片保持溝部４Ｂに可動接片７を収容保持した押しボタン４を、キートップ９の操作部９Ａと押しボタン４の押圧部４Ｃを対向させるように押しボタン４の押圧部４Ｃと一対のバネ受け部４Ｄをボディ２内に嵌め込んで、キートップ９の一側方（図１〜図４の左側方）に直列に配置し、各コイルスプリング１０Ａ，１０Ｂの一端を凹部２Ａの周囲にあるボディ１の内部側面とキートップ９の表面端部に跨って当接させるように各コイルスプリング１０Ａ，１０Ｂを圧縮しながら押しボタン４の各バネ受け部４Ｄと凹部２Ａの周囲にあるボディ１の内部側面との間に配置し、押しボタン４の操作部４Ａの基部とフレーム３の切り欠き部３Ａを嵌合させるようにフレーム３を上方からボディ２の上面と一側面に被せて固定し、最後にフレーム３の下端部に曲げ加工でコモン端子３Ｃを一体に形成して完了する。
【００３７】
次に、２段動作プッシュスイッチ１の動作を説明する。
【００３８】
図１〜図４に示した押しボタン４が押されていない初期状態から押しボタン４を横方向（図１〜図４の右方向）に押すと、押しボタン４に一体に形成された押圧部４Ｃと押しボタン４に保持された可動接片７は横方向（図１〜図４の右方向）に一体的に変位する。これに伴って、押しボタン４の押圧部４Ｃはキートップ９の操作部９Ａに接近する一方、可動接片７の上側の接点部７Ｃはフレーム３の上部内面に一体に形成された段差部３Ｄの外側の凹部３Ｅから中央の凸部３Ｆを乗り越えて内側の凹部３Ｇに摺動し、可動接片７の下側の接点部７Ｄは第１底面固定接点５Ａの周囲にあるボディ２の内部底面から第１底面固定接点５Ａの上に摺動する。
【００３９】
これによって、可動接片３の下側の接点部７Ｄが第１底面固定接点５Ａと接触し、可動接片３と第１底面固定接点５Ａが電気的に接続・導通するため、可動接片３と上側の接点部７Ｃ及びフレーム３を介して導通のあるコモン端子３Ｃと、第１底面固定接点５Ａと導通のある第１端子５とが導通して、２段動作プッシュスイッチ１の１段目のスイッチがオン状態となり、１段目の電気信号を得る。
【００４０】
また、２段動作プッシュスイッチ１の１段目のスイッチがオン状態になる直前に、可動接片３の上側の接点部７Ｃがフレーム３の上部内面に一体に形成された段差部３Ｄの外側の凹部３Ｅから上側の可動接片部７Ａを撓ませて下方向に押し下げながら中央の凸部３Ｆに乗り上がる際に、外側の凹部３Ｅと中央の凸部３Ｆの間の段差で２段動作プッシュスイッチ１の１段目のクリック感触を得ることができる。
【００４１】
２段動作プッシュスイッチ１の１段目のスイッチのオン状態から、押しボタン４をさらに横方向（図１〜図４の右方向）に押すと、押しボタン４に一体に形成された押圧部４Ｃと押しボタン４に保持された可動接片７はさらに横方向（図１〜図４の右方向）に一体的に変位する。これに伴って、押しボタン４の押圧部４Ｃはキートップ９の操作部９Ａに突き当たりキートップ９を凹部２Ａ内に押し込み、キートップ９はその押圧部９Ｂの先端中心部で凹部２Ａ内に設置された金属板バネ８の表面中心部を横方向（図１〜図４の右方向）に押し込み操作する。
【００４２】
なお、可動接片７の上側の接点部７Ｃは段差部３Ｄの内側の凹部３Ｇからそのさらに内側のフレーム３の平坦な上部内面に摺動し、可動接片７の下側の接点部７Ｄは第１底面固定接点５Ａの上で摺動し、２段動作プッシュスイッチ１の１段目のスイッチはオン状態を保つ。
【００４３】
これによって、金属板バネ８はキートップ９の押し込み力によって中央部が裏側に反転して第２側面固定接点６Ａと接触し、金属板バネ８と第２側面固定接点６Ａが電気的に接続・導通するため、金属板バネ８と第１側面固定接点５Ｂを介して導通のある第１端子５と、第２側面固定接点６Ａと導通のある第２端子６とが導通し、第１端子５と導通のあるコモン端子３Ｃと第２端子６とが導通して、２段動作プッシュスイッチ１の２段目のスイッチが１段目のスイッチに続いてオン状態となり、２段目の電気信号を得る。
【００４４】
また、２段動作プッシュスイッチ１の２段目のスイッチがオン状態になるときの金属板バネ８の反転によって、２段動作プッシュスイッチ１の２段目のクリック感触を得ることができる。
【００４５】
なお、押しボタン４が押されて金属板バネ８の中央部と第２側面固定接点６Ａが接触している間は２段動作プッシュスイッチ１の１段目のスイッチ及び２段目のスイッチが共にオン状態を保つ。
【００４６】
続いて、押しボタン４の操作力を開放して押し込み力を除くと、押しボタン４の押し込み時に蓄積された各コイルスプリング１０Ａ，１０Ｂのバネ力によって押しボタン４と可動接片７が一体的に初期状態の位置に戻されて、金属板バネ８の中央部がそのバネ性によって元の湾曲した円弧状に復帰し、その復帰によりキートップ９が初期状態の位置に戻され、その表面両端部が各コイルスプリング１０Ａ，１０Ｂの一端に当接してバランス状態となる。
【００４７】
２段動作プッシュスイッチ１は金属板バネ８の中央部と第２側面固定接点６Ａの接触がなくなった時点でコモン端子３Ｃと第２端子６とが電気的に切り離されて２段目のスイッチがオフ状態となり、その後、可動接片３の下側の接点部７Ｄと第１底面固定接点５Ａの接触がなくなった時点でコモン端子３Ｃと第１端子６とが電気的に切り離されて１段目のスイッチがオフ状態となる。
【００４８】
上記のように、２段動作プッシュスイッチ１は、横方向より操作する押しボタン４と、前記押しボタン４に保持させるバネ性を有する可動接片７と、前記押しボタン４の操作方向とは垂直な設置面に設置する円弧状の金属板バネ８と、コモン端子３Ｃと第１端子５及び第２端子６と、を備え、前記押しボタン４の操作に応じて前記可動接片７が横方向に移動して前記コモン端子３Ｃと前記第１端子５とを電気的に接続し、１段目の電気信号を得るのに続いて、前記押しボタン４が金属板バネ８を押して反転させて第１端子５を介してコモン端子３Ｃと第２端子６とを電気的に接続し、２段目の電気信号を得、横方向の操作力を直角方向に変換する必要がない横押し型の２段動作プッシュスイッチを構成することができると共に、１段目の可動接点として押しボタン４に保持させるバネ性を有する可動接片７を用い、２段目の可動接点として押しボタン４の操作方向とは垂直な設置面に設置する円弧状の金属板バネ８を用いることで、横方向の操作力を直角方向に変換する必要のない横押し型の２段動作プッシュスイッチでありながら、その幅及び高さを抑えることができるので、横方向の操作力を操作方向とは直角方向に変換する必要のない、小形・薄形の横押し型の２段動作プッシュスイッチを実現、提供することができる。
【００４９】
図６は本発明の一実施の形態による２段動作プッシュスイッチの１段目の感触を付与するための段差部の第１〜第３の変形構造を示す構造図であり、図６（Ａ）は凹凸の第１の変形構造の段差部３１Ｄを示し、フレーム３の上部１箇所を部分的に内側から外側に膨出させて凹凸を得ている。図６（Ｂ）は凹凸凹の第２の変形構造の段差部３２Ｄを示し、図１、図２及び図４，図５に示したメイン構造の段差部３Ｄとは逆に、フレーム３の上部２箇所を部分的に外側から内側に膨出させて凹凸凹形状を得ている。図６（Ｃ）は図６（Ａ）の第１の変形構造の段差部３１Ｄとは逆の凸凹の第３の変形構造の段差部３３Ｄを示し、フレーム３の上部１箇所を部分的に外側から内側に膨出させて凸凹形状を得ている。図６（Ａ）（Ｂ）（Ｃ）に示すように、第１〜第３の各変形構造の段差部３１Ｄ，３２Ｄ，３３Ｄは何れも、押しボタン４が押されていない初期状態では、外側の凹部３１Ｅ，３２Ｅ、凸部３３Ｅの内面に可動接片７の上側の接点部７Ｃが接触し、２段動作プッシュスイッチ１の１段目のスイッチがオン状態になる直前に、可動接片３の上側の接点部７Ｃが外側の凹部３１Ｅ，３２Ｅ、凸部３３Ｅからその内側に隣接する凸部３１Ｆ，３３Ｆ、凹部３３Ｆに乗り移る際に、その間の段差で２段動作プッシュスイッチ１の１段目のクリック感触を得ることができる。
【００５０】
以上、本実施の形態は本発明の２段動作プッシュスイッチの好適な一実施の形態を示したが、本発明はそれに限定されることなく、その要旨を逸脱しない範囲内で種々変形実施することができるものである。
【図面の簡単な説明】
【００５１】
【図１】本発明の一実施の形態による２段動作プッシュスイッチの外観を示す平面図である。
【図２】本発明の一実施の形態による２段動作プッシュスイッチの外観を示す側面図である。
【図３】本発明の一実施の形態による２段動作プッシュスイッチの内部構造を示す図１のＡ−Ａ断面図である。
【図４】本発明の一実施の形態による２段動作プッシュスイッチの内部構造を示す図２のＢ−Ｂ断面図である。
【図５】本発明の一実施の形態による２段動作プッシュスイッチの組み立て図である。
【図６】（Ａ）〜（Ｃ）は本発明の一実施の形態による２段動作プッシュスイッチの１段目の感触を付与するための段差部の第１〜第３の変形構造を示す構造図である。
【符号の説明】
【００５２】
１  ２段動作プッシュスイッチ
２  ボディ
３  フレーム
３Ｃ  コモン端子
３Ｄ  段差部
４  押しボタン
５  第１端子
６  第２端子
７  可動接片
８  金属板バネ
【図１】
2008041389.tif 000003
【図２】
2008041389.tif 000004
【図３】
2008041389.tif 000005
【図４】
2008041389.tif 000006
【図５】
2008041389.tif 000007
【図６】
2008041389.tif 000008